(57)【要約】【課題】レドームの内部に、安定した状態で収容することが可能な構造を有するアンテナ装置を提供する。【解決手段】アンテナ装置１は、アンテナ用給電線２Ａ、２Ａ’と、それを挟んで離間した第１接地層１１及び第２接地層１２と、を有し、Ａ面に配されたアンテナ用トリプレート線路ＴＰＡと、一端側においてＡ面と交差するＢ面に配され、アンテナ用給電線２Ａ、２Ａ’に接続された第１引き回し給電線２Ｂと、それを挟んで離間した第３接地層１３及び第４接地層１４と、を有する第１引き回し用トリプレート線路ＴＰ１と、他端側において第Ａ面と交差するＣ面に配され、アンテナ用給電線２Ａ、２Ａ’に接続された第２引き回し給電線２Ｃと、それを挟んで離間した第５接地層１５及び第６接地層１６と、を有する第２引き回し用トリプレート線路ＴＰ２と、を備え、当該３つのトリプレート線路はＡ面の同じ側に配されている。【選択図】図１
2016178526.tif 000002
【特許請求の範囲】
【請求項１】
アンテナ用給電線と、当該アンテナ用給電線を互いの間に挟むように、当該アンテナ用給電線とそれぞれ離間して配された第１接地層及び第２接地層と、を有し、Ａ面に配されたアンテナ用トリプレート線路と、
一端側において前記Ａ面と交差するＢ面に配され、前記アンテナ用給電線に接続された第１引き回し用給電線と、当該第１引き回し用給電線を互いの間に挟むように、当該第１引き回し用給電線とそれぞれ離間して配された第３接地層及び第４接地層と、を有する第１引き回し用トリプレート線路と、
他端側において前記第Ａ面と交差するＣ面に配され、前記アンテナ用給電線に接続された第２引き回し用給電線と、当該第２引き回し用給電線を互いの間に挟むように、当該第２引き回し用給電線とそれぞれ離間して配された第５接地層及び第６接地層と、を有する第２引き回し用トリプレート線路と、を備え、
前記第１引き回し用トリプレート線路及び前記第２引き回し用トリプレート線路は、ともに前記Ａ面の同じ側に配されていることを特徴とするアンテナ装置。
【請求項２】
前記Ａ面と前記Ｂ面とのなす角度、前記Ａ面と前記Ｃ面とのなす角度が、それぞれ９０度以下であることを特徴とする請求項１に記載のアンテナ装置。
【請求項３】
前記Ａ面と前記Ｂ面のなす角度と、前記Ａ面と前記Ｃ面のなす角度とが等しいことを特徴とする請求項２に記載のアンテナ装置。
【請求項４】
前記第１接地層及び前記第２接地層は、
前記Ａ面の一端側において、それぞれ前記第３接地層及び前記第４接地層に接続され、
前記Ａ面の他端側において、それぞれ前記第５接地層及び前記第６接地層に接続されていることを特徴とする請求項１から請求項３の何れか一項に記載のアンテナ装置。
【請求項５】
前記第４接地層と、当該第４接地層を挟んで前記第１引き回し用給電線と反対側に配されて当該第１引き回し用給電線に接続された第１外部接続用給電線と、当該第１外部接続用給電線を前記第４接地層との間に挟むように配された第７接地層と、を有する第１外部接続用トリプレート線路、及び、
前記第６接地層と、当該第６接地層を挟んで前記第２引き回し用給電線と反対側に配されて当該第２引き回し用給電線に接続された第２外部接続用給電線と、当該第２外部接続用給電線を前記第４接地層との間に挟むように配された第８接地層と、を有する第２外部接続用トリプレート線路、を更に備えていることを特徴とする請求項１から請求項４の何れか一項に記載のアンテナ装置。
【請求項６】
前記第１引き回し用給電線と前記第１外部接続用給電線とは、前記第４接地層と前記第２接地層とが接続する部分の近傍に設けられた開口部を通じて接続され、前記第２引き回し用給電線と前記第２外部接続用給電線とは、前記第６接地層と前記第２接地層とが接続する部分の近傍に設けられた開口部を通じて接続されていることを特徴とする請求項５に記載のアンテナ装置。
【請求項７】
前記第１引き回し用給電線及び前記第２引き回し用給電線の少なくとも一方は、移相器が挿入されて引き回されていることを特徴とする請求項１から請求項６の何れか一項に記載のアンテナ装置。
【請求項８】
前記アンテナ用トリプレート線路、前記第１引き回し用トリプレート線路及び前記第２引き回し用トリプレート線路の各々が配される面に囲われた空間に設けられ、前記移相器を駆動する移相器駆動部材を備えていることを特徴とする請求項７に記載のアンテナ装置。
【請求項９】
前記アンテナ用トリプレート線路は、前記アンテナ素子が本体の長手方向に複数配列されてアレイアンテナを構成し、
前記第１引き回し用給電線及び前記第２引き回し用給電線の少なくとも一方は、前記アレイアンテナを構成する複数の前記アンテナ素子の全てに対して、同時に給電可能な分配器をなしていることを特徴とする請求項１から請求項８の何れか一項に記載のアンテナ装置。
【請求項１０】
前記第１接地層と前記第２接地層とを電気的に短絡する導体板短絡部を更に備え、
前記導体短絡部は、前記アンテナ用給電線と、前記第１引き回し用給電線または前記第１引き回し用給電線の何れかとの接続部分の近傍に配されていることを特徴とする請求項１から請求項９の何れか一項に記載のアンテナ装置。
【発明の詳細な説明】
【技術分野】
【０００１】
本発明は、無線通信サービス等に用いられるアンテナ装置に関する。
【背景技術】
【０００２】
携帯電話等の無線通信サービスを確立する上で基地局等に採用されているアレイアンテナは、多くの場合、垂直面内指向性におけるチルト角を調整することで、サービスエリアを最適化している。この場合、垂直に周期配列されたアレイアンテナの指向性制御の手段としては、移相器を用いてアレイアンテナの各アンテナ素子の励振位相を変化させることでチルト角を調整する手段が一般的に用いられている。
この場合、基地局等において無線通信サービスの提供を行うにあたり、これらのアレイアンテナ、移相器、分配器等は、通常、複数の同軸ケーブルで各々が接続される態様で用いられている。
【０００３】
また、上記に関連する技術として、トリプレート伝送線路の積層構造を用いて信号を伝送する方法が提案されている（例えば、特許文献１）。
【０００４】
また、アンテナ用給電線を備えたトリプレート伝送線路と、引き回し用給電線を備えたトリプレート伝送線路とが、互いの厚み方向に重なって積層構造をなすアンテナ装置が開示されている（例えば、特許文献２）。このアンテナ装置では、アンテナ用給電線と引き回し用給電線とが、積層構造の外側で電気的に接続されている。
【先行技術文献】
【特許文献】
【０００５】
【特許文献１】特開２００３−１６８９０３号公報
【特許文献２】特許第５６７５９３４号公報
【発明の概要】
【発明が解決しようとする課題】
【０００６】
アンテナ装置は、自然環境からの保護を目的として、レドーム内に収容された状態で用いられる。レドームとしては、その外壁面に対する風圧の影響を小さくするために、円筒形のものが用いられる傾向にある。安定性の観点から、通常のアンテナ装置は、その端部がレドームの内壁面に接した状態で収容されることになる。この場合、アンテナ装置の端部のうち、レドームの内壁面に接する部分が多く、また、接する位置の分布が円筒形のレドームの中心軸に対して等方的であるほど、安定性が高くなる。
【０００７】
そのため、例えば、従来構造の直方体状のアンテナ装置であれば、その長手方向が、円筒形のレドームの中心軸方向と平行になるようにして、長手方向の４辺が、レドームの内壁面に接した状態で収容される。
【０００８】
ところが、従来構造のアンテナ装置は平板状であり、その厚みが円筒形のレドームの内径に比べて十分小さい。そのため、レドームの内壁面において、アンテナ装置が接する位置の分布は、ほぼアンテナ装置の主面に平行な方向に偏在しており、中心軸に対して等方的ではない。したがって、上述したように、円筒形のレドーム内に収容された従来構造のアンテナ装置は、その厚さ方向の揺れや外力に対する安定性が低い。
【０００９】
本発明は、このような事情に鑑みてなされたもので、レドームの内部に、安定した状態で収容することが可能な構造を有するアンテナ装置を提供することにある。
【課題を解決するための手段】
【００１０】
本発明の一態様は、アンテナ用給電線と、当該アンテナ用給電線を互いの間に挟むように、当該アンテナ用給電線とそれぞれ離間して配された第１接地層及び第２接地層と、を有し、Ａ面に配されたアンテナ用トリプレート線路と、一端側において前記Ａ面と交差するＢ面に配され、前記アンテナ用給電線に接続された第１引き回し用給電線と、当該第１引き回し用給電線を互いの間に挟むように、当該第１引き回し用給電線とそれぞれ離間して配された第３接地層及び第４接地層と、を有する第１引き回し用トリプレート線路と、他端側において前記第Ａ面と交差するＣ面に配され、前記アンテナ用給電線に接続された第２引き回し用給電線と、当該第２引き回し用給電線を互いの間に挟むように、当該第２引き回し用給電線とそれぞれ離間して配された第５接地層及び第６接地層と、を有する第２引き回し用トリプレート線路と、を備え、前記第１引き回し用トリプレート線路及び前記第２引き回し用トリプレート線路は、ともに前記Ａ面の同じ側に配されていることを特徴とするアンテナ装置である。
【００１１】
また、本発明の一態様は、上述のアンテナ装置において、前記Ａ面と前記Ｂ面とのなす角度、前記Ａ面と前記Ｃ面とのなす角度が、それぞれ９０度以下であることを特徴とする。
【００１２】
また、本発明の一態様は、上述のアンテナ装置において、前記Ａ面と前記Ｂ面のなす角度と、前記Ａ面と前記Ｃ面のなす角度とが等しいことを特徴とする。
【００１３】
また、本発明の一態様は、上述のアンテナ装置において、前記第１接地層及び前記第２接地層は、前記Ａ面の一端側において、それぞれ前記第３接地層及び前記第４接地層に接続され、前記Ａ面の他端側において、それぞれ前記第５接地層及び前記第６接地層に接続されていることを特徴とする。
【００１４】
また、本発明の一態様は、上述のアンテナ装置において、前記第４接地層と、当該第４接地層を挟んで前記第１引き回し用給電線と反対側に配されて当該第１引き回し用給電線に接続された第１外部接続用給電線と、当該第１外部接続用給電線を前記第４接地層との間に挟むように配された第７接地層と、を有する第１外部接続用トリプレート線路、及び、前記第６接地層と、当該第６接地層を挟んで前記第２引き回し用給電線と反対側に配されて当該第２引き回し用給電線に接続された第２外部接続用給電線と、当該第２外部接続用給電線を前記第４接地層との間に挟むように配された第８接地層と、を有する第２外部接続用トリプレート線路、を更に備えていることを特徴とする。
【００１５】
また、本発明の一態様は、上述のアンテナ装置において、前記第１引き回し用給電線と前記第１外部接続用給電線とは、前記第４接地層と前記第２接地層とが接続する部分の近傍に設けられた開口部を通じて接続され、前記第２引き回し用給電線と前記第２外部接続用給電線とは、前記第６接地層と前記第２接地層とが接続する部分の近傍に設けられた開口部を通じて接続されていることを特徴とする。
【００１６】
また、本発明の一態様は、上述のアンテナ装置において、前記第１引き回し用給電線及び前記第２引き回し用給電線の少なくとも一方は、移相器が挿入されて引き回されていることを特徴とする。
【００１７】
また、本発明の一態様は、上述のアンテナ装置において、前記アンテナ用トリプレート線路、前記第１引き回し用トリプレート線路及び前記第２引き回し用トリプレート線路の各々が配される面に囲われた空間に設けられ、前記移相器を駆動する移相器駆動部材を備えていることを特徴とする。
【００１８】
また、本発明の一態様は、上述のアンテナ装置において、前記アンテナ用トリプレート線路は、前記アンテナ素子が本体の長手方向に複数配列されてアレイアンテナを構成し、前記第１引き回し用給電線及び前記第２引き回し用給電線の少なくとも一方は、前記アレイアンテナを構成する複数の前記アンテナ素子の全てに対して、同時に給電可能な分配器をなしていることを特徴とする。
【００１９】
また、本発明の一態様は、上述のアンテナ装置において、前記第１接地層と前記第２接地層とを電気的に短絡する導体板短絡部を更に備え、前記導体短絡部は、前記アンテナ用給電線と、前記第１引き回し用給電線または前記第１引き回し用給電線の何れかとの接続部分の近傍に配されていることを特徴とする。
【発明の効果】
【００２０】
本発明によれば、レドームの内部に、安定した状態で収容することが可能な構造を有するアンテナ装置を提供することができる。
【図面の簡単な説明】
【００２１】
【図１】本発明の第１の実施形態に係るアンテナ装置の構造を示す斜視図及び断面図である。
【図２】本発明の第１の実施形態に係るアンテナ装置の内部構造を示す斜視図である。
【図３】本発明の第１の実施形態に係る移相器駆動器材の斜視図である。
【図４】本発明の第１の実施形態に係るアンテナ装置を、レドーム内に収容した状態を示す斜視図及び断面図である。
【図５】本発明の第１の実施形態の変形例１に係るアンテナ装置の内部構造を示す斜視図及び断面図である。
【図６】本発明の第１の実施形態の変形例２に係るアンテナ装置の内部構造を示す斜視図である。
【発明を実施するための形態】
【００２２】
＜第１の実施形態＞
以下、本発明の第１の実施形態に係るアンテナ装置を、図面を参照して説明する。図１（ａ）は、第１の実施形態に係るアンテナ装置１の構造を示す斜視図である。アンテナ装置１は、トリプレート型平面アンテナ素子（以下、単に「アンテナ素子」と記載）ＡＮＴ１が、本体の長手方向（±ｙ方向）に周期配列されてなるアレイアンテナである。図１（ｂ）は、図１（ａ）のアンテナ装置１を、α−α線を含み、長手方向（±ｙ方向）と垂直をなす平面によって切断した場合の断面図である。図１（ｃ）は、図１（ａ）のアンテナ装置１を、β−β線を含み、短手方向（±ｘ方向）と平行をなす平面によって切断した場合の断面図である。
【００２３】
アンテナ装置１は、Ａ面Ｓａに沿って配されたアンテナ用トリプレート線路ＴＰＡと、Ａ面の一端側Ｓａ１においてＡ面Ｓａと交差するＢ面Ｓｂに沿って配された第１引き回し用トリプレート線路ＴＰ１を備えている。また、アンテナ装置１は、Ａ面の他端側Ｓａ２においてＡ面Ｓａと交差するＣ面Ｓｃに沿って配された第２引き回し用トリプレート線路ＴＰ２を備えている。第１引き回し用トリプレート線路ＴＰ１及び第２引き回し用トリプレート線路ＴＰ２は、ともにＡ面Ｓａの同じ側に配されている。
【００２４】
Ａ面ＳａとＢ面Ｓｂのなす角度、Ａ面ＳａとＣ面Ｓｃのなす角度は、１８０度未満であれば特に限定されるものではないが、アンテナ装置１をレドーム内に収容した際の安定性の観点から、それぞれ９０度以下であることが好ましく、９０°であれば最も好ましい。また、Ａ面ＳａとＢ面Ｓｂのなす角度と、Ａ面ＳａとＣ面Ｓｃのなす角度とは、同程度の大きさであることが好ましく、等しい大きさであれば最も好ましい。
【００２５】
本実施形態では、Ａ面ＳａとＢ面Ｓｂ、Ａ面ＳａとＣ面Ｓｃのなす角度が、それぞれ略９０°である場合を例に挙げている。この場合、図１（ｂ）に示すように、アンテナ装置１の長手方向（±ｙ方向）に垂直な断面は、アンテナ用トリプレート線路ＴＰＡ、第１引き回し用トリプレート線路ＴＰ１及び第２引き回し用トリプレート線路ＴＰ２によって構成された略コの字型の形状となる。
【００２６】
アンテナ用トリプレート線路ＴＰＡは、アンテナ用給電線２Ａ、２Ａ’と、当該アンテナ用給電線２Ａ、２Ａ’を互いの間に挟むようにして当該アンテナ用給電線２Ａ、２Ａ’とそれぞれ離間して配される第１接地層（導体板）１１及び第２接地層（導体板）１２と、を有している。アンテナ用給電線２Ａ、２Ａ’は、第１接地層１１及び第２接地層１２から、絶縁物からなる支柱（不図示）で支持されることにより、各接地層から離間して固定設置されている。また、第１接地層１１と第２接地層１２とは、別の支柱（不図示）を介して互いの位置関係が固定されている。後者の支柱は、導体により構成されるもの、すなわち、導体短絡部であってもよい。この場合、導体短絡部は、アンテナ用給電線２Ａ、２Ａ’と、後述する第１引き回し用給電線２Ｂまたは第１引き回し用給電線２Ｃの何れかとの接続部分の近傍に配されていることが好ましい。
【００２７】
第１接地層１１には正方形状のスロット１１Ａが、±ｘ方向、±ｙ方向に対して４５°傾くように形成されている。また、アンテナ用給電線２Ａ、２Ａ’は、＋ｘ方向、−ｘ方向から延伸して、スロット１１Ａの辺に直交するように配されることで、それぞれ＋４５°、−４５°の偏波を送受可能としている。
【００２８】
スロット１１Ａの直上には、パッチアンテナ（導体プレート）Ｐが配されている。パッチアンテナＰは、アンテナ装置１が使用する周波数帯域の規制用（調整用）に配されるものであり、使用する周波数帯域によっては必要でない場合もある。第１接地層１１が所定の形状を有することにより、すなわち、第１接地層１１にスロット１１Ａが形成されることにより、アンテナ素子ＡＮＴ１は、電磁波を送受信可能な素子として機能する。
【００２９】
第１引き回し用トリプレート線路ＴＰ１は、第１引き回し用給電線２Ｂと、当該第１引き回し用給電線２Ｂを互いの間に挟むように、当該第１引き回し用給電線２Ｂとそれぞれ離間して配される第３接地層（導体板）１３、第４接地層（導体板）１４と、を有している。Ａ面の一端側Ｓａ１において、第１接地層１１、第２接地層１２は、それぞれ、第３接地層、第４接地層と接続されていることが好ましい。
【００３０】
第１引き回し用給電線２Ｂは、アンテナ用給電線２Ａに電気的に接続されている。第１引き回し用給電線２Ｂは、第３接地層１３及び第４接地層１４から、絶縁物からなる支柱（不図示）で支持されることにより、各接地層から離間して固定設置されている。また、第３接地層１３と第４接地層１４とは、別の支柱（不図示）を介して互いの位置関係が固定されている。後者の支柱は、導体により構成されるものであってもよい。
【００３１】
第２引き回し用トリプレート線路ＴＰ２は、第２引き回し用給電線２Ｃと、当該第２引き回し用給電線２Ｃを互いの間に挟むように、当該第２引き回し用給電線２Ｃとそれぞれ離間して配される第５接地層（導体板）１５、第６接地層（導体板）１６と、を有している。Ａ面の他端側Ｓａ２において、第１接地層１１、第２接地層１２は、それぞれ、第５接地層、第６接地層と接続されていることが好ましい。
【００３２】
第２引き回し用給電線２Ｃは、アンテナ用給電線２Ａ’に電気的に接続されている。第２引き回し用給電線２Ｃは、第５接地層１５及び第６接地層１６から、絶縁物からなる支柱（不図示）で支持されることにより、各接地層から離間して固定設置されている。また、第５接地層１５と第６接地層１６とは、別の支柱（不図示）を介して互いの位置関係が固定されている。後者の支柱は、導体により構成されるものであってもよい。
【００３３】
アンテナ装置１は、第１引き回し用トリプレートＴＰ１の第２引き回し用トリプレートＴＰ２に近い側に、第１外部接続用トリプレートＴＰ３を更に備えている。また、アンテナ装置１は、第２引き回し用トリプレートＴＰ２の第１引き回し用トリプレートに近い側に、第２外部接続用トリプレートＴＰ４を更に備えている。
【００３４】
第１外部接続用トリプレートＴＰ３は、第４接地層１４と、当該第４接地層１４を挟んで第１引き回し用給電線２Ｂと反対側に配されて、当該第１引き回し用給電線２Ｂに接続された第１外部接続用給電線２Ｄと、当該第１外部接続用給電線２Ｄを第４接地層１４との間に挟むように配された第７接地層（導体板）１７と、を有している。
【００３５】
第１引き回し用給電線２Ｂと第１外部接続用給電線２Ｄとの接続は、例えば、第２接地層１２と第４接地層１４との接続部分の近傍に設けられた開口部ＯＰ１を通じて行うことができる。この開口部ＯＰ１は、第２接地層１２あるいは第４接地層１４の何れかを、厚さ方向に貫通するものである。
【００３６】
第２外部接続用トリプレートＴＰ４は、第６接地層１６と、当該第６接地層１６を挟んで第２引き回し用給電線２Ｃと反対側に配されて、当該第２引き回し用給電線２Ｃに接続された第２外部接続用給電線２Ｅと、当該第２外部接続用給電線２Ｅを第６接地層１６との間に挟むように配された第８接地層（導体板）１８と、を有している。
【００３７】
第２引き回し用給電線２Ｃと第２外部接続用給電線２Ｅとの接続は、例えば、第２接地層１２と第６接地層１６との接続部分の近傍に設けられた開口部ＯＰ２を通じて行うことができる。この開口部ＯＰ２は、第２接地層１２あるいは第６接地層１６の何れかを、厚さ方向に貫通するものである。
【００３８】
図２（ａ）〜（ｄ）は、それぞれ、図１（ａ）のアンテナ装置１の内部構造を示す斜視図である。図２（ａ）は、アンテナ装置１から第１接地層１１、第３接地層１３、第５接地層１５を取り除き、それらの下層の構造を露出させたものである。図２（ｂ）は、図２（ａ）に示すアンテナ装置１の内部構造のうち、アンテナ用給電線２Ａ、２Ａ’、第１引き回し用給電線２Ｂ、第２引き回し用給電線２Ｃ以外の部分を取り除いたものである。
【００３９】
図２（ｃ）は、図２（ａ）に示すアンテナ装置１の内部構造のうち、第１外部接続用給電線２Ｄとそれに接続された第１引き回し用給電線２Ｂ、第７接地層１７、第２外部接続用給電線２Ｅとそれに接続された第２引き回し用給電線２Ｃ、第８接地層１８以外の部分を取り除いたものである。図２（ｄ）は、図２（ａ）に示すアンテナ装置１の内部構造のうち、第１外部接続用給電線２Ｄ、第２外部接続用給電線２Ｅ以外の部分を取り除いたものである。
【００４０】
第１外部接続用給電線２Ｄ、第２外部接続用給電線２Ｅとしては、例えば図２（ｄ）に示すように、Ｌ字状のものが用いられている。第１外部接続用給電線２Ｄは、第１引き回し用給電線２Ｂと接続する部分（Ｌ字を構成する一辺）Ａ１と、第１引き回し用給電線２Ｂを引き回す部分（Ｌ字を構成する他の一辺）Ａ２とで構成されている。また、第２外部接続用給電線２Ｅは、第２引き回し用給電線２Ｃと接続する部分（Ｌ字を構成する一辺）Ｂ１と、第２引き回し用給電線２Ｃを引き回す部分（Ｌ字を構成する他の一辺）Ｂ２とで構成されている。
【００４１】
図２（ａ）、（ｂ）に示すように、第１引き回し用給電線２Ｂ、第２引き回し用給電線２Ｃは、それぞれ、アレイアンテナ（アンテナ装置１）を構成する複数のアンテナ素子ＡＮＴ１の全てに対して、同時に給電可能な分配器をなしている。
【００４２】
第１引き回し用給電線２Ｂ、第２引き回し用給電線２Ｃの少なくとも一方は、移相器が挿入されて引き回されている。本実施形態では、第１引き回し用給電線２Ｂは、可動配線Ｍ１を有する移相器ＰＳ１が挿入されて引き回されている。また、第２引き回し用給電線２Ｃは、可動配線Ｍ２を有する移相器ＰＳ２が挿入されて引き回されている。
【００４３】
可動配線Ｍ１は、第１引き回し用給電線２Ｂが配される面、すなわち、図１（ａ）、（ｂ）に示すＢ面Ｓｂに平行に配され、一端Ｍ１ａ側においてＢ面Ｓｂと垂直をなす軸Ｏ１を回転軸として、回動可能となっている。また、可動配線Ｍ２は、第２引き回し用給電線２Ｃが配される面、すなわち、図１（ａ）、（ｂ）に示すＣ面Ｓｃに平行に配され、一端Ｍ２ａ側においてＣ面Ｓｂと垂直をなす軸Ｏ２を回転軸として、回動可能となっている。
【００４４】
可動配線Ｍ１の他端側Ｍ１ｂは、第１引き回し用給電線２Ｂと容量結合した状態で、回転軸Ｏ１を軸とした回動に伴って、第１引き回し用給電線２Ｂに対して摺動可能となっている。また、可動配線Ｍ２の他端Ｍ２ｂ側は、第２引き回し用給電線２Ｃと容量結合した状態で、回転軸Ｏ２を軸とした回動に伴って、第２引き回し用給電線２Ｃに対して摺動可能となっている。
【００４５】
可動配線Ｍ１、Ｍ２の一端Ｍ１ａ、Ｍ２ａは、移相器駆動器材（チルト角可変機構）に接続されている。図３は、移相器駆動器材ＰＳＤの斜視図である。移相器駆動器材ＰＳＤは、主に、突起部１９ａを有する棒状部材１９と、突起部２０ａ、２０ｂを有する略コの字状部材（または略Ｕ字状部材）２０と、で構成されている。
【００４６】
突起部１９ａには、突起方向と棒状部材１９の長手方向ｄとに垂直な方向に、貫通孔ｈが設けられている。略コの字状部材２０は、その一部が、貫通孔ｈを貫通するように配されている。突起部２０ａ、２０ｂは、それぞれ、略コの字状部材２０の一端側、他端側において、互いに遠ざかる方向に突起するように設けられている。また、突起部２０ａ、２０ｂは、それぞれ、可動配線Ｍ１の一端Ｍ１ａ側、可動配線Ｍ２の一端Ｍ２ａ側と接続されており、突起部２０ａ、２０ｂの突起方向は、それぞれ、軸Ｏ１方向、軸Ｏ２方向と一致している。なお、突起部２０ａ、２０ｂの突起方向、及び、軸Ｏ１、Ｏ２方向は全て一致していることが好ましい。
【００４７】
上述した構成の移相器駆動器材ＰＳＤによれば、棒状部材１９を長手方向ｄに動かすことにより、突起部１９ａは、略コの字状部材２０の一部（貫通孔ｈを貫通する部分）を引いたり押したりすることができる。これにより、軸Ｏ１、Ｏ２を回転軸とした略コの字状部材２０の回転、ひいては突起部２０ａ、２０ｂの回転が発生することになる。そして、軸Ｏ１を回転軸とした突起部２０ａの回転に連動して可動配線Ｍ１が回転し、軸Ｏ２を回転軸とした突起部２０ｂの回転に連動して可動配線Ｍ２が回転するように制御することができる。なお、略コの字状部材２０の一部を引いたり押したりする動作は、モーターを用いて行ってもよいし、手動で行ってもよい。
【００４８】
本実施形態においては、この移相器駆動器材ＰＳＤを、例えば図１（ｂ）、（ｃ）に示すように、アンテナ用トリプレート線路ＴＰＡ、第１引き回し用トリプレート線路ＴＰ１、第２引き回し用トリプレート線路ＴＰ２によって３方向から囲まれた空間に配置することができる。
【００４９】
図４（ａ）は、円筒形のレドーム１００の内部に、本実施形態に係るアンテナ装置１を収容した状態を示す斜視図である。図４（ｂ）は、図４（ａ）のアンテナ装置１及びそれを収容するレドーム１００を、レドーム１００の長手方向（±ｙ方向）に垂直な平面で切断した場合の断面図である。
【００５０】
図４（ａ）、（ｂ）に示すように、本実施形態に係るアンテナ装置１は、その主な４つの端部１ａ、１ｂ、１ｃ、１ｄが、レドームの内壁面１００ａに接した状態となっている。
【００５１】
従来用いられているような直方体の平板状のアンテナ装置では、端部同士の間隔が、主面方向と厚さ方向とで大きく異なっている。そのため、レドーム内に収容した場合、レドームの内壁面において端部の接する位置が、レドームの中心軸に対して非等方的に分布することになる。
【００５２】
これに対し、上述した本実施形態に係るアンテナ装置１では、４つの端部１ａ、１ｂ、１ｃ、１ｄのうち、何れの端部同士の間隔も同程度となっている。そのため、レドーム１００内に収容した場合、レドームの内壁面１００ａにおいて、端部１ａ、１ｂ、１ｃ、１ｄが接する位置を、レドーム１００の中心軸に対して等方的に分布させることができる。これにより、本実施形態に係るアンテナ装置１は、円筒形のレドーム１００内に収容した際に、レドームの内壁面１００ａによって、等方的に支持（固定）されることになり、あらゆる方向の揺れや外力に対して高い安定性を有している。したがって、本発明によれば、レドーム１００の内部に、安定した状態で収容することが可能な構造を有するアンテナ装置１を提供することができる。
【００５３】
また、本実施形態に係るアンテナ装置１では、第１引き回し用給電線２Ｂと第２引き回し用給電線２Ｃとが、互いに独立したトリプレート線路に設けられている。そのため、従来のアンテナ装置のように、トリプレート伝送線路が重なり、引き回し用給電線が複数層にわたって引き回されることによって、配線構造が複雑化する問題を回避することができる。
【００５４】
また、本実施形態に係るアンテナ装置１では、引き回し用トリプレートをアンテナ用トリプレートの下方ではなく側方に設けるため、特許文献２に記載されているように、引き回し用給電線を積層構造の外側において、急な角度で折り曲げる必要がない。したがって、本実施形態に係るアンテナ装置１では、引き回し用給電線の折れ曲がった部分において電気特性が劣化する問題を回避することができる。
【００５５】
＜第１の実施形態の変形例１＞
図５（ａ）は、第１の実施形態の変形例１に係るアンテナ装置ユニット１０の内部構造を示す斜視図である。図５（ｂ）は、図５（ａ）のアンテナ装置ユニット１０を、γ−γ線を含み、短手方向（±ｘ方向）と平行をなす平面によって切断した場合の断面図である。
【００５６】
図５（ａ）に示すように、当該変形例１に係るアンテナ装置ユニット１０では、第１の実施形態として図１（ａ）に示したアンテナ装置１と、これと同じ構造のアンテナ装置２とが、長手方向（±ｙ方向）に連なって設けられている。なお、本例におけるアンテナ装置１、２の各構成要素のうち、第１の実施形態として説明したものと共通するものについては、同じ符号を用いて説明する。図５（ａ）のアンテナ装置ユニット１０は、図２（ａ）と同様に、各アンテナ装置から第１接地層１１、第３接地層１３、第５接地層１５を取り除き、それらの下層の構造を露出させたものである。アンテナ装置１、２の構造については、第１の実施形態として示したものと同様に構成されている。
【００５７】
本例では、アンテナ装置１、２のそれぞれに対して、第１引き回し用給電線２Ｂ及び第２引き回し用給電線２Ｃが配され、その各々に移相器ＰＳ３が別々に挿入されているが、これらの移相器ＰＳ３は、共通の移相器駆動器材ＰＳＤに接続されている。より正確には、各移相器ＰＳ３を構成する可動配線Ｍ３の一端Ｍ３ａが、略コの字状部材１９を介して、共通の棒状部材２０に接続されている。
【００５８】
移相器駆動器材ＰＳＤを用いて移相器ＰＳ３を駆動する機構は、第１の実施形態として説明したものと同様であるが、本例の構成においては、一本の棒状部材２０を長手方向に動かすことによって、複数の移相器ＰＳ３（可動配線Ｍ３）の回転動作を同時に制御できる点が異なっている。
【００５９】
図５（ｃ）は、図５（ａ）に示すアンテナ装置ユニット１０の内部構造のうち、第１外部接続用給電線２Ｄとそれに接続された第１引き回し用給電線２Ｂ、第７接地層１７、第２外部接続用給電線２Ｅとそれに接続された第２引き回し用給電線２Ｃ、第８接地層１８以外の部分を取り除いたものである。
【００６０】
本例のように複数のアンテナ装置が連なっている場合、各アンテナ装置の第１外部接続用給電線２Ｄ同士、第２外部接続用給電線２Ｅ同士が、互いに接触しないように配線する必要がある。したがって、本例においては、例えば図５（ｃ）に示すように、共通する第７接地層１７上において、一方の第１外部接続用給電線２Ｄと他方の第１外部接続用給電線２Ｄとが、互いに離間した状態で引き回されている。また、同様に、共通する第８接地層１８上において、一方の第２外部接続用給電線２Ｅと他方の第２外部接続用給電線２Ｅとが、互いに離間した状態で引き回されている。
【００６１】
本例においては、２つのアンテナ装置１、２が、それぞれの長手方向に連なっている例を示したが、連なるアンテナ装置の数に制限はなく、３つ以上連なっていてもよい。
【００６２】
＜第１の実施形態の変形例２＞
第１の実施形態の変形例２に係るアンテナ装置ユニット（不図示）の内部構造について説明する。なお、変形例２におけるアンテナ装置ユニットの各構成要素のうち、第１の実施形態及びその変形例１として説明したものと共通するものについては、同じ符号を用いて説明する。
【００６３】
図６は、変形例２に係るアンテナ装置ユニットのうち、第１外部接続用給電線２Ｄとそれに接続された第１引き回し用給電線２Ｂ、第７接地層１７、第２外部接続用給電線２Ｅとそれに接続された第２引き回し用給電線２Ｃ、第８接地層１８以外の部分を取り除いたものである。
【００６４】
変形例２に係るアンテナ装置ユニットは、第１外部接続用給電線２Ｄ及び第２外部接続用給電線２Ｅが、それぞれ分配器を用いて構成されている点において、変形例１に係るアンテナ装置ユニット１０と異なっている。分配器以外の部分の構成については、変形例１として示したアンテナ装置ユニット１０の構成と同様である。
【００６５】
分配器は、連なるアンテナ装置同士を互いに合成し、第１外部接続用給電線２Ｄ、第２外部接続用給電線２Ｅを伝搬する信号を、同じ周波数のまま各アンテナ装置に分配する機能を有している。これにより、高利得のアンテナ装置ユニットを得ることができる。
【００６６】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で種々の省略、置き換え、変更を行うことができる。これら実施形態やその変形は、発明の範囲や要旨に含まれると同様に、特許請求の範囲に記載された発明とその均等の範囲に含まれるものとする。
【符号の説明】
【００６７】
１  アンテナ装置
２Ａ、２Ａ’  アンテナ用給電線
１１  第１接地層
１２  第２接地層
Ｓａ  Ａ面
ＴＰＡ  アンテナ用トリプレート線路
２Ｂ  第１引き回し用給電線
１３  第３接地層
１４  第４接地層
Ｓｂ  Ｂ面
ＴＰ１  第１引き回し用トリプレート線路
２Ｃ  第２引き回し用給電線
１５  第５接地層
１６  第６接地層
Ｓｃ  Ｃ面
ＴＰ２  第２引き回し用トリプレート線路
【図１】
2016178526.tif 000003
【図２】
2016178526.tif 000004
【図３】
2016178526.tif 000005
【図４】
2016178526.tif 000006
【図５】
2016178526.tif 000007
【図６】
2016178526.tif 000008